(57)【要約】【課題】第２貯留部へ安定して遊技球を流下させることができ、第２貯留部から第１貯留部へ遊技球を移すことが容易であり、球皿の上下方向の寸法を大きくすることなく球皿における遊技球の貯留容量を容易に多くできる遊技機における球皿を提供すること。【解決手段】球皿４は、球払出口３１から払い出された遊技球９を球皿４の前面側において貯留する第１貯留部５と、第１貯留部５の左右方向Ｗに隣接形成した第２貯留部７とを有している。第１貯留部５と第２貯留部７との間には、第１貯留部５から第２貯留部７へ遊技球９が直接流下することを防止する仕切壁４１が配設されている。球皿４の後面側には、球払出口３１と第２貯留部７とを接続するオーバーフロー通路１８が形成されている。球皿４は、第１貯留部５に遊技球９が充填され、第１貯留部５へ流下しなくなった遊技球９をオーバーフロー通路１８へ流下させて第２貯留部７へ導くよう構成されている。【選択図】図２
2006212085.tif 000002
【特許請求の範囲】
【請求項１】
球払出口から払い出された遊技球を受けて貯留する遊技機における球皿において、
該球皿は、上記球払出口から払い出された遊技球を受けて貯留する第１貯留部と、該第１貯留部の左右方向に隣接して形成した第２貯留部とを有しており、
上記第１貯留部と上記第２貯留部との間には、該第１貯留部から該第２貯留部へ遊技球が直接流下することを防止する仕切壁が配設してあり、
上記球皿の後面側には、上記球払出口と上記第２貯留部とを接続するオーバーフロー通路が形成してあり、
上記第１貯留部に遊技球が充填され、該第１貯留部へ上記球払出口から遊技球が流下しなくなったときには、該遊技球を上記オーバーフロー通路へ流下させて上記第２貯留部へ導くよう構成したことを特徴とする遊技機における球皿。
【請求項２】
請求項１において、上記第２貯留部の底面における最下端位置は、上記第１貯留部の底面における最下端位置よりも高くなっていることを特徴とする遊技機における球皿。
【請求項３】
請求項１又は２において、上記第１貯留部には、該第１貯留部から上記遊技機の左右方向の一方に向けて遊技球を流下させる第１通路部と、該第１通路部に連結され、上記左右方向の他方に向けて遊技球を流下させる第２通路部とが接続してあり、
上記第１通路部は、複数列で流下する遊技球を１列に整流させる整流部を有しており、上記第２通路部は、上記１列に整流した状態を維持して遊技球を流下させるよう構成してあることを特徴とする遊技機における球皿。
【請求項４】
請求項３において、上記第２通路部は、上記遊技機における発射装置に遊技球を導くよう構成してあることを特徴とする遊技機における球皿。
【発明の詳細な説明】
【技術分野】
【０００１】
本発明は、遊技機における球払出口から払い出された遊技球を受けて貯留する球皿に関する。
【背景技術】
【０００２】
パチンコ遊技機等の遊技機は、遊技球を貯留する球皿、入賞に応じて所定数の遊技球を球皿へ払い出す払出装置、球皿から供給された遊技球を遊技盤の遊技領域に向けて発射させる発射装置等を有して構成されている。
そして、発射装置から発射された遊技球が、遊技領域に形成された入賞口等に入賞すると、払出装置が、所定数の遊技球を前面パネルに形成した球払出口から球皿へ払い出す。
【０００３】
また、例えば、特許文献１の球受装置は、払出口から払い出された遊技球を所定量貯留するための第１貯留部と、この第１貯留部に連設され、この第１貯留部に貯留された遊技球が所定量を超えた場合に、その所定量を超えた遊技球を貯留するための第２貯留部とを有している。また、第１貯留部と第２貯留部との間には、断面略三角形の張出部を形成している。そして、第１貯留部に貯留しきれずに、張出部を乗り越えて溢れ出した遊技球を第２貯留部によって貯留し、必要に応じて、第２貯留部に貯留した遊技球を第１貯留部へ片手で掻き上げて移すようにしている。
【０００４】
しかしながら、上記特許文献１の球受装置においては、第２貯留部を第１貯留部よりも低い位置に形成し、球受装置の前面側において、第１貯留部における遊技球がその自重により第２貯留部へ流下するようにしている。そのため、第１貯留部及び第２貯留部における遊技球の貯留容量を多くするためには、第１貯留部と第２貯留部との高低差を大きくする必要が生じ、球皿の上下方向の寸法を大きくする必要があった。
【０００５】
また、特許文献１の球受装置においては、第１貯留部における遊技球は、後から第１貯留部に流下してくる遊技球の球圧を利用して、張出部を乗り越えて第２貯留部へ溢れ出させている。そのため、球圧のかかり具合によっては、第２貯留部へ適切に遊技球を溢れ出させることができないおそれがある。
【０００６】
【特許文献１】特開２００２−２４８２４７号公報
【発明の開示】
【発明が解決しようとする課題】
【０００７】
本発明は、かかる従来の問題点に鑑みてなされたもので、第２貯留部へ安定して遊技球を流下させることができると共に、第２貯留部から第１貯留部へ遊技球を移すことが容易であり、かつ球皿の上下方向の寸法を大きくすることなく、球皿における遊技球の貯留容量を容易に多くすることができる遊技機における球皿を提供しようとするものである。
【課題を解決するための手段】
【０００８】
本発明は、球払出口から払い出された遊技球を受けて貯留する遊技機における球皿において、
該球皿は、上記球払出口から払い出された遊技球を受けて貯留する第１貯留部と、該第１貯留部の左右方向に隣接して形成した第２貯留部とを有しており、
上記第１貯留部と上記第２貯留部との間には、該第１貯留部から該第２貯留部へ遊技球が直接流下することを防止する仕切壁が配設してあり、
上記球皿の後面側には、上記球払出口と上記第２貯留部とを接続するオーバーフロー通路が形成してあり、
上記第１貯留部に遊技球が充填され、該第１貯留部へ上記球払出口から遊技球が流下しなくなったときには、該遊技球を上記オーバーフロー通路へ流下させて上記第２貯留部へ導くよう構成したことを特徴とする遊技機における球皿にある（請求項１）。
【０００９】
本発明の遊技機における球皿は、上記第１貯留部と上記第２貯留部とを左右方向に隣接して形成してなるものであり、第１貯留部に貯留することができなくなった遊技球を上記オーバーフロー通路を経由させて第２貯留部へ導くよう構成してなる。
すなわち、遊技者が遊技を行う際に、上記球払出口から払い出された遊技球は、球皿の第１貯留部に受けられ貯留される。次いで、第１貯留部に遊技球が充填され、第１貯留部における遊技球の貯留状態が満タン状態になると、球皿の上方から流下する遊技球は球払出口から第１貯留部へ流下することができなくなる。
【００１０】
そして、このときには、球皿の上方から流下する遊技球は、上記オーバーフロー通路へと流下し、第２貯留部へ導かれる。これにより、第１貯留部が満タン状態になったときには、遊技者が何らの操作を加えることなく、遊技球を第２貯留部へ導くことができる。
このように、本発明の球皿は、その前面側において第１貯留部から第２貯留部へ遊技球を溢れ出させる必要がない。そのため、第１貯留部と第２貯留部との高低差を大きくする必要がなくなる。これにより、球皿の上下方向の寸法を大きくすることなく、第１貯留部又は第２貯留部の少なくとも一方における遊技球の貯留容量を多くすることができる。
【００１１】
また、上記オーバーフロー通路を用いることにより、遊技球の自重による球圧を利用することなく遊技球を第２貯留部へ流下させることができる。そのため、第１貯留部に流下しなくなった遊技球を安定して第２貯留部へ流下させることができる。
また、第１貯留部に貯留された遊技球の数が減少したときには、遊技者は、第２貯留部に貯留された遊技球を、第１貯留部に向けて掻き出すことができる。そのため、遊技者は、第２貯留部から第１貯留部へ容易に遊技球を移すことができる。
【００１２】
それ故、本発明の球皿によれば、第２貯留部へ安定して遊技球を流下させることができると共に、第２貯留部から第１貯留部へ遊技球を移すことが容易であり、球皿の上下方向の寸法を大きくすることなく、球皿における遊技球の貯留容量を容易に多くすることができる。
【発明を実施するための最良の形態】
【００１３】
上述した本発明における好ましい実施の形態につき説明する。
本発明において、上記遊技機としては、例えば、パチンコ遊技機、アレンジボール遊技機、遊技球を遊技媒体として使用するスロットマシーン等がある。
上記仕切壁は、上記第１貯留部と上記第２貯留部との境界部分の全長に渡って形成することができる。
【００１４】
また、上記第２貯留部の底面における最下端位置は、上記第１貯留部の底面における最下端位置よりも高くすることが好ましい（請求項２）。
この場合には、遊技者が第２貯留部から第１貯留部へ遊技球を掻き出すときに、遊技球を上に持ち上げる高さを低くすることができる。そのため、遊技者は、第２貯留部から第１貯留部へ一層容易に遊技球を移すことができる。
【００１５】
また、上記第１貯留部には、該第１貯留部から上記遊技機の左右方向の一方に向けて遊技球を流下させる第１通路部と、該第１通路部に連結され、上記左右方向の他方に向けて遊技球を流下させる第２通路部とが接続してあり、上記第１通路部は、複数列で流下する遊技球を１列に整流させる整流部を有しており、上記第２通路部は、上記１列に整流した状態を維持して遊技球を流下させるよう構成することが好ましい（請求項３）。
【００１６】
この場合には、第１貯留部における遊技球は、第１通路部と第２通路部とにより折り返し流下させる。また、第１通路部において遊技球の流れを１列状態にし、第２通路部において１列状態を維持して遊技球を流下させる。そのため、球皿において、遊技球を折り返し流下させる場合においても、各通路部をコンパクトに形成することができる。これにより、各通路部の形成により、第１貯留部及び第２貯留部における遊技球の貯留容量を少なくしてしまうことを防止することができる。
【００１７】
また、上記整流部による遊技球の整流は、第１通路部の幅を、遊技球の直径の２倍以上から、遊技球の直径以上であってこの直径の２倍未満に変化させることにより、実現することができる。
また、上記第１通路部及び第２通路部は、遊技機の左右方向に向けて形成すると共に、遊技機の上下方向に傾斜して形成することができる。また、第１通路部及び第２通路部は、遊技機の前後方向に若干傾斜した状態で、遊技機の左右方向に向けて形成することもできる。さらに、第１通路部及び第２通路部は、遊技機の左右方向に向けて形成すると共に、各通路部の途中で上下方向及び前後方向の少なくとも一方に傾斜して形成することもできる。
【００１８】
また、第２通路部は、遊技球を１段積みの状態で１球ずつ流下させるよう構成することができる。また、第２通路部は、２段積みの状態で流下する遊技球の流れを、１段積みの状態で流下する遊技球の流れに変化させるよう構成することもできる。
【００１９】
また、上記第２通路部は、上記遊技機における発射装置に遊技球を導くよう構成することが好ましい（請求項４）。
この場合には、第２通路部によって１列に整流させた遊技球を、発射装置へ供給することができる。
【実施例】
【００２０】
以下に、本発明の遊技機における球皿にかかる実施例につき、図面と共に説明する。
（実施例１）
本例の遊技機はパチンコ遊技機１であり、図１〜図５に示すごとく、このパチンコ遊技機１における球皿４は、前面パネル３に形成した球払出口３１から払い出された遊技球９を受けて貯留するよう構成されている。
球皿４は、球払出口３１から払い出された遊技球９を球皿４の前面側（前面パネル３の前面側）において受けて貯留する第１貯留部５と、この第１貯留部５の左右方向Ｗに隣接形成した第２貯留部７とを有している。また、第１貯留部５と第２貯留部７との間には、第１貯留部５から第２貯留部７へ遊技球９が直接流下することを防止する仕切壁４１が配設されている。
【００２１】
また、球皿４の後面側（前面パネル３の後面側）には、球払出口３１と第２貯留部７とを接続するオーバーフロー通路１８が形成されている。
そして、球皿４は、第１貯留部５に遊技球９が充填され、この第１貯留部５へ球払出口３１から遊技球９が流下しなくなったときには、この遊技球９をオーバーフロー通路１８へ流下させて第２貯留部７へ導くよう構成されている。
なお、図１は、後述する球皿ユニット２を実線で示す図であり、図２は、第１貯留部５、球通路６及び第２貯留部７を構成する部材４０を実線で示す図である。
【００２２】
以下に、本例のパチンコ遊技機１における球皿４につき詳説する。
図１、図２に示すごとく、本例の球皿４は、パチンコ遊技機１の前面に配設された前面パネル３と一体的に形成されており、前面パネル３と共に球皿ユニット２を構成している。また、第１貯留部５及び第２貯留部７は、前面パネル３の一部と、前面パネル３から前方に向けて突出形成された球貯留底面５１１、７１１及び球貯留壁５１２、７１２とによって囲まれた領域として形成されている。
【００２３】
同図に示すごとく、パチンコ遊技機１は、遊技盤１３を配設してなる本体枠１１と、この本体枠１１における遊技盤１３の前方に開閉可能に配設されたガラス扉１２とを有している。球皿４は、本体枠１１の前方であって、ガラス扉１２の下方に配設されている。また、図４に示すごとく、本体枠１１には、入賞に応じて所定数の遊技球９を球皿４へ払い出す払出装置１４、球皿４から供給された遊技球９を遊技盤１３における遊技領域に向けて発射させる発射装置１５等が配設されている。
【００２４】
また、本例の球皿ユニット２（球皿４及び前面パネル３）は、本体枠１１に固定されている。この場合には、球皿ユニット２は、本体枠１１と一体的に、又は別部材として形成することができる。
これに対し、球皿ユニット２は、本体枠１１に対して開閉可能に配設することもできる。この場合には、球皿ユニット２は、本体枠１１に対して別部材として構成することができる。
【００２５】
また、図１、図３に示すごとく、前面パネル３の前面には、発射装置１５における遊技球９の発射強度を調整するための操作ハンドル２１と、煙草の吸殻を受けるための灰皿２２等が配設されている。
また、図４に示すごとく、払出装置１４と、前面パネル３における上記球払出口３１とは、払出装置１４によって払い出された遊技球９を流下させる球流下通路１７によって接続されている。
【００２６】
また、図２、図４に示すごとく、本例の球流下通路１７は、上記球払出口３１の後方に位置する下流側端部に、遊技球９を１段積みの状態で貯留することができる下流側通路部１７１を形成してなる。そして、上記オーバーフロー通路１８は、下流側通路部１７１の側壁に開口しており、オーバーフロー通路１８の上流側端部の底面の位置は、下流側通路部１７１の底面の位置よりも、遊技球９の半径分の高さよりも高く遊技球９の直径分の高さよりも低い位置となっている。
【００２７】
図２、図３に示すごとく、本例の第１貯留部５は、遊技者からの支払いに応じて貸し出された遊技球９を受ける貸球領域としての機能と、上記球払出口３１から払い出された遊技球９を受ける賞球領域としての機能とを有している。すなわち、本例の第１貯留部５は、貸球領域と賞球領域とを区別して有しておらず、賞球領域が貸球領域の機能を兼ね備えるものである。
また、図３に示すごとく、本例の球皿４は、上記発射装置１５と上記賞球領域とをパチンコ遊技機１の左右方向Ｗにおける左側の領域に形成し、上記Ｕターン通路部６３を備えた球通路６によって遊技球９の流れをＵターンさせる構造を有している。
【００２８】
より具体的には、上記第１貯留部５は、球皿４における左側の領域に形成されており、上記第２貯留部７は、球皿４における残りの右側の領域に形成されている。
なお、上記左側の領域とは、パチンコ遊技機１の左右方向Ｗの中心位置よりも左側の領域のことをいい、第１貯留部５は、上記中心位置を含め、若干右側の領域を含んで形成されていてもよい。また、本例において、左側又は左方向とは、パチンコ遊技機１の前面から見た左側又は左方向のことをいう。
また、発射装置１５は、パチンコ遊技機１の左右方向Ｗにおける右側の領域又は中央の領域に形成することもできる。また、第１貯留部５を右側の領域に形成し、第２貯留部７を左側の領域に形成することもできる。
【００２９】
また、図４、図５に示すごとく、本例の球皿４は、球皿４の前面側（前面パネル３の前面側）において、第１貯留部５から第２貯留部７へ遊技球９を溢れ出させることは意図しておらず、第２貯留部７を第１貯留部５よりも意図的に低い位置に形成していない。すなわち、本例の球皿４は、第２貯留部７を第１貯留部５よりも高い位置に形成しており、より具体的には、第２貯留部７の球貯留底面７１１における最下端位置７１５を、第１貯留部５の球貯留底面５１１における最下端位置５１５よりも高くしている。なお、図５において、最下端位置７１５と最下端位置５１５との高低差をＨで示す。
【００３０】
また、図２、図３に示すごとく、本例の仕切壁４１は、第１貯留部５と第２貯留部７との境界部分の全長に渡って形成されている。
また、本例の球通路６は、第１貯留部５の右側の部分であって球皿４の前面側に形成されており、第２貯留部７は、球通路６の前方部分及び右側の部分に形成されている。そして、上記仕切壁４１は、球皿４の左側から右側に向かうに連れて、前面パネル３との間の距離を縮小する形状に形成されている。これにより、遊技者が、第２貯留部７から第１貯留部５へ遊技球９を掻き出すことを容易にしている。
【００３１】
また、図４、図５に示すごとく、仕切壁４１の高さは、遊技球９の直径の１．５倍以上３倍未満の高さに形成されている。そして、上記下流側通路部１７１は、第１貯留部５に２段又は３段積みの状態で遊技球９が積載されたときには、１段積みの状態で遊技球９が積載されるよう構成されている。
【００３２】
また、本例の仕切壁４１は、球皿４に固定されたものであり、第１貯留部５と第２貯留部７との境界部分において、上方に突出した凸形状によって形成されている。
これに対し、仕切壁４１は、第１貯留部５と第２貯留部７との境界部分において、第２貯留部７を第１貯留部５よりも高くしてなる段差形状によって形成することもできる。この段差形状は、垂直な段差面に形成することができ、また、急斜面状の段差面に形成することもできる。また、その他にも、仕切壁４１は、第１貯留部５から第２貯留部７へ遊技球９が流下しない種々の形状にすることができる。また、上記段差形状を形成した場合には、第１貯留部５における遊技球９の貯留数が減少したときには、第２貯留部７から第１貯留部５へ遊技球９をその自重により流下させることができる。
【００３３】
また、仕切壁４１は、球皿４に対して移動又は着脱可能に配設することもできる。この場合には、仕切壁４１の移動又は着脱を行って、第２貯留部７から第１貯留部５に遊技球９を容易に移すことができる。
また、第１貯留部５及び第１通路部６１における遊技球９の貯留容量は、第２貯留部７における遊技球９の貯留容量よりも多くなっている。これにより、第１貯留部５における遊技球９の貯留容量を多くして、できるだけ第２貯留部７を使用せず第１貯留部５のみを使用してパチンコ遊技が行えるようにしている。
【００３４】
また、図３に示すごとく、第１貯留部５の球貯留底面５１１の一部は、球皿４に対して開閉可能なメンテナンス用扉５１３によって構成されている。そして、このメンテナンス用扉５１３を開けることによって、球皿ユニット２を上記本体枠１１に固定したままの状態において、第１貯留部５によって隠された第２通路部６２の一部を開放することができる。これにより、第２通路部６２の隠れた部分の清掃、メンテナンス等を容易に行うことができる。
また、図２に示すごとく、球皿４には、上記発射装置１５から発射して、上記遊技盤１３における遊技領域に到達しなかった遊技球９（ファール球）を第１貯留部５へ返却するファール球通路４２が形成されている。
【００３５】
図２、図３に示すごとく、本例の球皿４は、第１貯留部５に貯留した遊技球９をパチンコ遊技機１の左右方向Ｗに向けて流下させる球通路６を有している。この球通路６は、第１貯留部５から左右方向Ｗの一方に向けて遊技球９を流下させる第１通路部６１と、この第１通路部６１に連結され、左右方向Ｗの他方に向けて遊技球９を流下させる第２通路部６２とを有している。
また、第１通路部６１は、複数列で流下する遊技球９を１列に整流させる整流部６１１を有しており、第２通路部６２は、上記１列に整流した状態を維持して遊技球９を流下させるよう構成されている。また、本例の第２通路部６２は、第１通路部６１を流下する遊技球９の流れをＵターンさせるＵターン通路部６３を有しており、Ｕターン通路部６３によって第１通路部６１と第２通路部６２とが連結されている。
【００３６】
図４に示すごとく、上記発射装置１５は、本体枠１１において、球皿４の後方における左側の領域に配設されている。この発射装置１５は、略垂直方向に向けて遊技球９を発射させる垂直発射タイプのものである。なお、発射装置１５は、この発射装置１５が配設されている右側又は左側の一方の領域から他方の領域に向けて斜め上方に打ち上げるタイプのものでもよい。
また、図３に示すごとく、本例の第１通路部６１と第２通路部６２とは、パチンコ遊技機１の前後方向Ｄに隣接して形成されており、いずれも前面パネル３の前方に形成されている。また、第２通路部６２は、第１通路部６１の後方に形成されている。
【００３７】
そして、第１通路部６１は、第１貯留部５からパチンコ遊技機１の右方向に向けて遊技球９が流下するように形成されており、第２通路部６２は、パチンコ遊技機１の左方向に向けて遊技球９が流下するように形成されている。また、Ｕターン通路部６３は、右方向に向けて流下する遊技球９の流れを左方向に向けてＵターンさせる形状を有している。
また、図４に示すごとく、第２通路部６２は、遊技球９を１球ずつ発射装置１５に供給するための整流器１６に接続されている。
【００３８】
また、図２、図３に示すごとく、第１通路部６１と第２通路部６２との間には、これらの間を仕切る通路仕切壁６４が形成されている。また、第１貯留部５と第２通路部６２との間には、第１貯留部５から第２通路部６２へ遊技球９が直接流下してしまうことを防止する流下防止ガイド６５が形成されている。
【００３９】
また、本例の第１通路部６１は、上記通路仕切壁６４と、上記仕切壁４１との間に形成されている。また、上記整流部６１１は、通路仕切壁６４と仕切壁４１との間の幅を、Ｕターン通路部６３に向けて縮小させることによって形成されている。また、本例の整流部６１１は、通路仕切壁６４に対する仕切壁４１の位置を、Ｕターン通路部６３に向けて近づけることにより、遊技球９の流れを１列の流れにするよう構成されている。すなわち、本例の仕切壁４１は、整流部６１１の整流形状も兼ね備える形状に形成されている。
【００４０】
また、図４、図５に示すごとく、第１貯留部５の球貯留底面５１１及び第１通路部６１の底面は、パチンコ遊技機１における右方向に向けて下がる傾斜面を形成しており、第２貯留部７の球貯留底面７１１及び第２通路部６２の底面は、パチンコ遊技機１における左方向に向けて下がる傾斜面を形成している。
また、図１に示すごとく、第１通路部６１の全体の上方と、第２通路部６２の一部の上方とは開放されており、これらの通路部を流下する遊技球９をパチンコ遊技機１の前方から視認できるようになっている。
【００４１】
また、図１、図４に示すごとく、第２貯留部７の球貯留底面７１１には、この第１貯留部７における遊技球９を排出するための球排出口７２が形成されており、この球排出口７２には、球箱等に遊技球９を排出するための球排出通路７３が接続されている。また、第２通路部６２には、この第２通路部６２を流下する遊技球９を整流器１６に供給せず、上記球排出通路７３へ排出するための発射球排出通路６１３が接続されている。
また、球排出口７２、及び発射球排出通路６１３の入口部には、球皿４に配設された操作スイッチ４５により開閉動作する開閉シャッター７４、６１４が配設されている。
【００４２】
次に、上記球皿４における遊技球９の流れ及び球皿４の作用効果につき説明する。
遊技者がパチンコ遊技を行う際に、貸球装置としてのＣＲユニット等にカード等を差し込み、貸球用操作スイッチ（図示略）を操作したときには、その支払い代金に応じた数の遊技球９が、払出装置１４から払い出されて第１貯留部５に供給される。そして、第１貯留部５に供給された遊技球９は、第１通路部６１へ流下し、この第１通路部６１からＵターン通路部６３を介して第２通路部６２へと流下する。
【００４３】
また、第１通路部６１を流下する遊技球９は、整流部６１１によって１列の流れに整流され、この１列の流れの状態で第２通路部６２を流下する。次いで、第２通路部６２を流下する遊技球９は、１球ずつ整流器１６によって発射装置１５へ供給される。そして、遊技者の操作ハンドル２１の操作に応じて、発射装置１５が、遊技球９を遊技盤１３における遊技領域に向けて発射させる。
【００４４】
次いで、遊技領域に向けて発射された遊技球９が、遊技領域における入賞口等に入賞すると、払出装置１４は、所定数の遊技球９を球流下通路１７へ払い出す。そして、球流下通路１７内を流下する遊技球９は、前面パネル３に形成された球払出口３１から第１貯留部５へと流下する。その後は、上記と同様にして、第１貯留部５における遊技球９は、第１通路部６１及び第２通路部６２を流下して、発射装置１５へ供給される。
【００４５】
ところで、上皿部と下皿部とを上下方向Ｈに並べて形成してなる二皿構造の球皿においては、遊技者の手で下皿部における遊技球９を掻き出すことができるように、下皿部の上方に所定高さ（例えば８０ｍｍ位の高さ）の作業空間を形成する必要がある。これに対し、本例の球皿４においては、第１貯留部５と第２貯留部７とが左右方向Ｗに隣接してなる二皿構造の球皿４を形成することができる。
【００４６】
そのため、上記作業空間を意図的に形成することなく、第２貯留部７の上方を容易に開放することができる。これにより、二皿構造の球皿４を形成する際にも、この球皿４の上下方向Ｈにおける寸法を小さくすることができ、パチンコ遊技機１の前面において、球皿４が占める領域を小さくすることができる。
【００４７】
また、上記払出装置１４が遊技球９の払出を行い、第１貯留部５に遊技球９が充填され、球流下通路１７における下流側通路部１７１にまで１段積みの状態で遊技球９が充填されたときには、球払出口３１から第１貯留部５へ遊技球９が流下しなくなる。このとき、球流下通路１７を流下する遊技球９は、上記１段積み状態の遊技球９の上を転がって、オーバーフロー通路１８へ流下する。こうして、第１貯留部５が満タン状態になったときには、遊技者が何らの操作を加えることなく、球流下通路１７を流下する遊技球９を第２貯留部７へ流下させることができる。
【００４８】
このように、本例の球皿４は、その前面側において第１貯留部５から第２貯留部７へ遊技球９を溢れ出させる必要がない。そのため、第２貯留部７を第１貯留部５よりも低い位置に形成する必要がなくなる。これにより、球皿４の上下方向Ｈの寸法を大きくすることなく、第１貯留部５及び第２貯留部７における遊技球９の貯留容量を多くすることができる。
また、本例の球皿４は、オーバーフロー通路１８を用いることにより、遊技球９の自重による球圧を利用することなく遊技球９を第２貯留部７へ流下させることができる。そのため、第１貯留部５に流下しなくなった遊技球９を安定して第２貯留部７へ流下させることができる。
【００４９】
また、第１貯留部５に貯留された遊技球９の数が減少したときには、遊技者は、第２貯留部７に貯留された遊技球９を、第１貯留部５に向けて掻き出すことができる。このとき、第２貯留部７の球貯留底面７１１における最下端位置７１５は、第１貯留部５の球貯留底面５１１における最下端位置５１５よりも高くなっており、遊技者が第２貯留部７において遊技球９を上に持ち上げる高さを低くすることができる。そのため、遊技者は、第２貯留部７から第１貯留部５へ一層容易に遊技球９を移すことができる。
【００５０】
それ故、本例の球皿４によれば、第２貯留部７から第１貯留部５へ遊技球９を移すことが容易であり、球皿４の上下方向Ｈの寸法を大きくすることなく、球皿４における遊技球９の貯留容量を容易に多くすることができる。
【００５１】
また、本例において、球流下通路１７又はオーバーフロー通路１８等の適宜箇所には、第１貯留部５における遊技球９の貯留状態が満タン状態になったことを検出する満タン検出構造を配設することができる。そして、この満タン検出構造による満タン状態の検出信号を用いて、上記払出装置１４の払出停止制御を行うことができる。
また、発射装置１５又は整流器１６等の球皿４の内部の各機能部品をパチンコ遊技機１の前面側からメンテナンス可能にするために、球皿カバーの適宜箇所を開閉可能に構成することもできる。
【００５２】
また、図示は省略するが、球皿４は、遊技球９が球払出口３１において第１貯留部５と第２貯留部７とへ分岐して流下する構造とすることもできる。すなわち、球払出口３１の後方に左右方向Ｗに短い寸法のオーバーフロー通路１８を形成し、球払出口３１の前方に、第１貯留部５及び第２貯留部７における遊技球９の入口部分（払出部分）をそれぞれ形成し（球払出口３１が第１貯留部５及び第２貯留部７の入口部分を兼用している。）、第１貯留部５及び第２貯留部７のいずれにおいても、パチンコ遊技機１の左右方向Ｗの一方から他方に向けて遊技球９を流下させることができる。
【００５３】
そして、第２貯留部７の球貯留底面７１１における最下端位置７１５を第１貯留部５の球貯留底面５１１における最下端位置５１５よりも高くし、球払出口３１から第１貯留部５へ遊技球９が流下しなくなったときには、この遊技球９を球払出口３１から第２貯留部７へ導くことができる。
このように、第１貯留部５及び第２貯留部７の両方を、球皿４における左右方向Ｗの同じ側に設けることもできる。
【図面の簡単な説明】
【００５４】
【図１】実施例における、遊技機における球皿を示す斜視図。
【図２】実施例における、第１貯留部、球通路及び第２貯留部を構成する部材を示す斜視図。
【図３】実施例における、遊技機における球皿を上方から見た状態で示す平面図。
【図４】実施例における、遊技機における球皿を示す図で、図３におけるＡ−Ａ線矢視断面説明図。
【図５】実施例における、第１貯留部及び第２貯留部を拡大して示す断面説明図。
【符号の説明】
【００５５】
１  パチンコ遊技機
１７  球流下通路
１７１  下流側通路部
１８  オーバーフロー通路
２  球皿ユニット
３  前面パネル
３１  球払出口
４  球皿
４１  仕切壁
５  第１貯留部
６  球通路
６１  第１通路部
６１１  整流部
６２  第２通路部
７  第２貯留部
９  遊技球
Ｄ  前後方向
Ｗ  左右方向
Ｈ  上下方向
【図１】
2006212085.tif 000003
【図２】
2006212085.tif 000004
【図３】
2006212085.tif 000005
【図４】
2006212085.tif 000006
【図５】
2006212085.tif 000007